(57)【特許請求の範囲】
【請求項１】
左、右、後の周囲三方の開閉式のアオリが構成するトラックの荷台上において、少なくとも四本の柱が分散して閉鎖したアオリに沿って直立し、その各柱に接する桟や桟同士が固着して耐荷重の枠体として荷台上に置かれたものを積荷枠として、閉鎖したアオリの上端に当接する接触部と及びアオリの内面の凹部に突出する突出部を該積荷枠に設けて、アオリを閉鎖固定すれば前記接触部がアオリの上端に緊締当接し、および前記突出部の上部がアオリ内面の凹部の上端に緊締当接し、
柱又は桟に設けた孔を貫通したボルトに嵌合したナットを基端とする締め具のフック状の他端が延伸して閉鎖したアオリの上端を引っ掛けて、基端と他端の両端間を短縮すれば積荷枠とその上端間が緊結し、両端間を延長すればアオリの開放を可能として、
走行時の該積荷枠の不要な移動が阻止され及び荷台からの積荷枠の分離が不可能となり、アオリが開放されれば前記緊締が解除されて積荷枠は荷台上から分離が可能となることにより、耐荷重の枠体の荷台への設置工作を不要とした積荷枠。
【請求項２】
基端が積荷枠に取り付いた締め具のフック状の他端が閉鎖したアオリの上端を引っ掛けて、その両端間を短縮すれば積荷枠とその上端間が緊結し、両端間を延長すればアオリの開放を可能とする請求項１記載の積荷枠。
【請求項３】
運転室外上部後方の左右に突起部を有するトラックにおいて、その突起部の前後を上から挟む安定部を桟に設けて、積荷枠の不要な前後移動をより阻止して安定させる請求項１又は請求項２に記載の積荷枠。
【発明の詳細な説明】
【技術分野】
【０００１】本件文中、前後とはトラックの前後方向として、周囲三方の開閉式のアオリが構成するトラックの荷台上に直立した少なくとも四本の各柱に接する桟や桟同士が連結固着して耐荷重強度の枠体の積荷として荷台上に置かれたものを積荷枠として、その積荷枠には、閉鎖したアオリ上端に当接する接触部と、及びそのアオリ内面の凹部に突き出して該凹部の上端に上部が当接する突出部を設け、およびその積荷枠に取り付いた締め具のフック状他端部が閉鎖したアオリの上端を引っ掛け、アオリが閉鎖固定すれば前記接触部や突出部の上部がアオリ内面で各緊締されて積荷枠の不要な移動を阻止し、およびフック状他端部の締め具が積荷枠と閉鎖したアオリの上端を緊結して、積荷枠の不要な移動をより阻止し、さらに運転室外上部後方の左右に突起部を有するトラックにおいては、その突起部の前後を上から挟んで積荷枠の不要な前後方向への移動を阻止して走行時の積荷枠をより安定させる安定部を桟に設け、アオリの開閉でトラックの荷台からの分離、固定を自在として、トラックの荷台上に枠体を設置しながらもその設置工作を不要とすることにより、そのトラックを合法とせしめる積荷枠に関する。
【背景技術】
【０００２】トラックの荷台に溶接あるいはボルト止めにより強固に固定した柱と桟の組み合わせの耐荷重強度の積荷固定用枠体はあったが、無認可の場合、トラックの違法改造であった。【０００３】無認可の場合でも合法としては、空気流を調整等するための部品、手荷物を運搬するための部品、その他、各部へのカバー類やヘッドライト、サンルーフ等の取り付け、軽微な改造工作が認められている。
【発明の開示】
【発明が解決しようとする課題】
【０００４】以上、従来のトラックの荷台の積荷固定用枠体は充分な耐荷重強度とするため、荷台に無認可の溶接やボルト止め等をする場合があったが、車検更新時、荷台部分の点検により、前記の違法性を看過されずして、従前使用していたその積荷固定用枠体の取り外し撤去を命ぜられることとなり、結果、積荷固定用枠体がないトラックとなって荷台への予定した積載が困難となり、また、枠体に積荷を固定する簡便な作業に替えて、ロープ等の重複する煩雑な荷台への結索固定作業となっていた。【０００５】なお、事前に改造の届け出をして認可を受けるには、別途、費用と改造事項明細書類作成の事務手続き等時間的負担を受容せざるを得ず、煩雑であり、なお認可も保証されたものでは無いのである。
【課題を解決するための手段】
【０００６】よって、トラックの荷台への溶接やボルト留め等の改造を無認可で行うことがあった。
本発明はそうした改造を不要とするため、左、右、後の周囲三方の開閉式のアオリが構成するトラックの荷台上において、少なくとも四本の柱を閉鎖したアオリに沿って荷台上に分散して直立させ、該各柱と桟及び桟同士が進行方向の縦横等に接触した部分を強固に連結固着した結果、荷台上に置いた積荷としての耐加重材質の枠体たる積荷枠として、その積荷枠には、閉鎖したアオリ上端に当接する接触部とアオリの内面の凹部の上端に上部が当接する突出部を設けて、アオリを閉鎖固定すれば前記両当接が各緊締されて走行時の積荷枠の左右上下の不要な移動を阻止して積荷枠が固定され、前記他端部をフック状とした締め具が積荷枠と閉鎖したアオリの上端間を緊結すれば、積荷枠の不要な移動をより阻止し、さらに軽トラック等においては、運転室外上部後方の左右に常備された上方向への両突起部の前後を上からはさむ安定部を両突起部の上位置にある横方向の桟に設ければ、安定部とその両突起部は前記固定により走行中の振動によっても乖離せず、よって両突起部は歯止めとなって、積荷枠の不要な前後方向への移動をさらに阻止し、走行中の積荷枠をより固定化させるのである。【０００７】  軽トラックにおいては、該メーカー各社ともに主たる軽トラックの荷台横幅内寸を１４１０ｍｍに統一しており、前記三方のアオリの閉鎖固定時、アオリの強度に影響が及ばない程度に前記内寸よりも広くした本発明の積荷枠横幅とすれば、左右アオリの閉鎖により積荷枠は荷台上に緊締固定され、軽トラックの各メーカーのうちの最短の荷台長寸法１９４０ｍｍ以内の積荷枠の前後寸法とすれば軽トラックメーカー各社のいずれの荷台にも固定装着可能となり、三方のアオリの閉鎖固定時において、寸足らずとなるその荷台長方向寸法により後アオリの固定効果が除外されていても本発明は前記左右のアオリの固定効果により積荷枠は荷台上に固定されるのである。
メーカー毎にやや異なる前記上方向への両突起部の位置に対応して両突起部に対する前記安定部の取り付け位置や、メーカー毎に異なるアオリの内面凹部形状に対応して突出部の設定位置を後記の緩緊移動調整により、積荷枠をいずれのメーカーの荷台にも装着可能としてアオリの三方閉鎖固定により積荷枠を固定すれば、軽トラックのメーカー各社共通の積荷枠としての一括生産が可能となり生産効率が高まる。
なお、突出部の機能は走行時の積荷枠の上方への衝動移動を阻止するものであり、そのためには水平方向のアオリの内面凹部に対応して突出部の形状を水平方向に長くしてその上部が凹部の上端に当接して走行時の突き上げ衝動を緩衝させるとして、強度の突き上げ衝動を想定すれば、水平方向に７０ｍｍ程度に長くしてアオリの内面の凹部の上端に凡そ沿う形状とすれば走行時のその突き上げ衝動を緩衝するのである。【０００８】  メーカー毎にやや異なる前記上方向への両突起部に対応してその上位置にある横方向の桟に設けた安定部を、移動調整可能とするためには、安定部を外面に有するバンドが桟を内にして周回して、バンドの両端の一つ以上の孔にボルトを貫通してそのボルトの両側からナットで締め込むと、その両端間が寄せ付けられて桟を緊締するとして、その安定部を両突起部との適合位置で固定し、ナットを緩めるとその位置をずらせるとして、
また同様にアオリ内面の凹部の上端に当接する突出部を移動調整可能とするためには、突出部を外面に有するバンドが柱又は桟を内に周回してその両端の孔にボルトを貫通してナットがボルトの両側から締め込むと両端が寄せ付けられてバンドは突出部の上部を柱又は桟の適宜の位置に調整して緊締固定してアオリ内面凹部の上端に当接させ、緩めるとその位置をずらせるとして突出部の位置を変更可能とし、および締め具の基端が積荷枠に取り付きフック状の他端が延伸して閉鎖したアオリの上端を引っ掛けて、基端と他端の両端間を短縮すれば積荷枠とその上端間が緊結し、両端間を延長すればアオリの開放を可能とするには、柱又は桟に設けた孔を貫通したボルトに嵌合したナットを基端として、フック状の他端がアオリの上端を引っ掛け、前記ナットを締め込んでいけば該上端と積荷枠が緊結され、ナットを緩めれば基端と他端間は延長されてそのフック状の他端をアオリの上端から取り除けるのでアオリの開放を可能とするのである。
または、延伸したフック状の他端がアオリの上端を引っ掛け、二股に分かれた基端部が双方から柱又は桟を内に周回して、該両基端部に設けた双方の孔を貫通したボルトに両側からナットを締め込んで両基端部を引き寄せると上端と積荷枠が緊結され、ナットを緩めれば基端と他端間は延長されてそのフック状の他端はアオリの上端から取り除けるのでアオリの開放を可能とするとしたものである。【０００９】  本発明の積荷枠を単管パイプとその連結のクランプによる組み合わせとして前記安定部を桟に、突出部を柱や桟に、いずれも緩緊自在にクランプで取り付けて位置調整すれば、いずれのメーカーの軽トラックの荷台上にも積荷枠は装着可能となる。
さらに、単管パイプと連結クランプによる組み合わせ、あるいは耐荷重強度の軽量素材とその連結クランプによる組み合わせや角パイプとその連結クランプによる組み合わせ等とすれば、クランプの緩緊により積荷枠の各桟の高低と柱の前後位置も容易に変更可能であるから、積載物に対応して適宜の積荷枠形状に変更できる。
変更不要の箇所は溶接固着としてもよい。
建設作業の足場にも用いられる単管パイプとその連結クランプによる組み合わせは、耐荷重性に優れるため本発明の積荷枠としても適性があり、一方、省スペース化を望む流通段階業者や販売店に対応して、嵩張る形状の積荷枠を柱と桟とクランプに分解したセットとして、販売後の組み立てとすればよい。
その他、耐荷重強度の軽量素材も分解可能の同様のセットとしてもよい。
【発明の効果】
【００１０】本発明の荷台の積荷枠は、左、右、後の周囲三方のアオリの閉鎖固定時、荷台と分離不可となり、アオリを開放し、前記安定部を持ち上げて突起部から外せば積荷枠は荷台から即時分離が可能となることにより、荷台上に荷物積載用の枠体を備えながらも、枠体の荷台への設置工作を不要として、煩雑な改造許可申請手続きやその費用を不要として違法性を解消し、そのトラックを常に合法とせしめるものである。【００１１】以上により、本発明の荷台上の積荷枠は、トラックの荷台の改造と見做されることなく、車検証に記載の積載総重量、積載空間内においてのトラックの積荷としての合法性を得て、荷台上に本発明の積荷枠のみであれば前記接触部と突出部とおよび締め具のみの固定とするか、混載積荷によりトラック本体とのさらなるロープ結索か、を勘案するのは積載作業者の通常の業務である。【００１２】車検の更新検査時、合法の積荷枠として証明するため、左、右、後の周囲三方のアオリを開放し、求められれば積荷枠を移動させて視認証明する。【００１３】なお、軽トラックに関していえば、実証試験として自動車検査証規定による車両重量７２０ＫＧの車体の荷台上に本発明の積荷枠のみを装着し、周囲三方のアオリを閉鎖固定して各柱にロープ掛けしてその軽トラックをウインチで吊り上げるのも十分に可能であった。
これは軽トラック製造各社いずれも、アオリ開閉部の蝶番が各２００ＫＧを超える耐荷重対応としており、左右アオリの計６箇所以上の開閉部蝶番の耐荷重合計が前記軽トラック重量７２０ＫＧに優るゆえであり、アオリ内面の凹凸を荷台面と平行の水平方向にしてアオリを耐荷重強度化しており、そのアオリの内面の凹部の上端と突出部上部との当接摩擦抵抗値合計が軽トラック重量に優る突出部形状とするため、突出部の当接上部を水平方向に実務的に約７０ｍｍと長くしてアオリの内面の凹部上端に当接した場合、前記吊り上げとそれに伴うアオリの変形の防止を実現できた。
一方、該積荷枠の自重は比較的重い単管パイプとクランプ連結による組み合わせとしても７０ＫＧ程度を超えず、ウインチで吊り上げる実証からも前記左右アオリの緊締による接触部や突出部の当接の合計摩擦抵抗の効果で積荷枠の緊締固定のみでも走行時の衝動を吸収制御して、該積荷枠は安定装着されるのである。【００１４】主たる軽トラックの荷台は運転席外部高さ約１１６５ｍｍ幅内寸１４１０ｍｍ荷台長最短同１９４０ｍｍであり、それに対して本件積荷枠を四脚の高さ１２５０ｍｍ幅１４１２ｍｍ長さ１３００ｍｍの直方形状の枠体とした場合、高さよりも幅が大きい安定した低重心形状であり、前記荷台サイズよりも積荷枠幅をやや大きくしていても三方のアオリの閉鎖固定が緊締可能となるのは、アオリ上部の閉鎖固定装置が閉鎖緊締を緩衝するスプリングが介在するラッチであり、アオリ下部の開閉蝶番周りが耐荷重構造により許容内の加圧に対しては変形回復機能が備わっているためで、そのスプリング効果と耐荷重構造の変形回復機能によりサイズ差を受容してアオリを常に緊締閉鎖可能とするのである。
以上、そうした前記回復可能サイズ内であれば軽トラックではアオリの閉鎖のみで走行時の積荷枠の充分な固定効果が得られるのである。
【図面の簡単な説明】
【００１５】
【図１】  トラック１の荷台１１上において、左アオリ２１と後アオリ２２及び図示外右アオリの三方が閉鎖されており、それらアオリに沿って荷台１１上の四隅に分散して直立した４本の各柱３に各締付具７で連結固着された左右両上縦桟４１の後方に同様に連結固着された上後横桟４１２があり、左右両上縦桟４１の前方先端下部には同様に連結固着された上前横桟４１１に設けた安定部４１１１がトラック１の運転室１２外上部の天井突起１０１の前後を上から押さえて荷台１１上に置かれた積荷としての積荷枠５の不要な前後移動を防いでおり、下縦桟４２には下後横桟４１３が連結固着されているとしたトラック１の左右対称図の左側面概略見取り図。
【００１６】
【図２】  後輪右タイヤ９側の荷台１１上の柱３と下後横桟４１３は締付具７で連結固着され、下後横桟４１３と下縦桟４２も締付具７で連結固着され、閉鎖した右アオリ２３のアオリ上端２３１が柱３に設けた接触部３２と接触し、柱３に設けた突出部３１が右アオリ２３の内面凹部２３２に突き出して突出部３１の突出部上端３１１と内面凹部２３２の内面凹部上端２３２１が緊締当接し積荷枠５の上方移動を阻止し、さらに柱３を貫通した締め具６のフック状の他端６２が右アオリ２３のアオリ上端２３１を引っ掛けて締め具６のボルト基端部６０に嵌合したナット６１がボルト基端部６０を締め込んでいけば柱３とアオリ上端２３１間を締め具６が緊結して積荷枠５が右アオリ２３に緊締されて不要の移動をより阻止された状況においての柱３を、前後左右の４本の各柱３における同様の状況の代表例図とした概略見取り図。
【符号の説明】
【００１７】  １  トラック
３  柱
５  積荷枠
６  締め具
７  締付具
９  後輪右タイヤ
１１  荷台
１２  運転室
２１  左アオリ
２２  後アオリ
２３  右アオリ
３１  突出部
３２  接触部
４１  上縦桟
４２  下縦桟
６０  ボルト基端部
６１  ナット
６２  他端
１０１  天井突起
２３１  アオリ上端
２３２  内面凹部
３１１  突出部上端
４１１  上前横桟
４１２  上後横桟
４１３  下後横桟
２３２１  内面凹部上端
４１１１  安定部
【図１】
0006926356.tif 000002
【図２】
0006926356.tif 000003